(57)【要約】【課題】この発明は、煙感知器を粉塵から保護する袋を簡単に取り付け、取り外しができ、また取り外しの際に煙感知器が破損しにくい煙感知器用保護治具を得煙感知器用保護治具を得る。【解決手段】この発明に係る煙感知器用保護治具は、天井１に取り付けられた煙感知器２を粉塵から保護するために用いられる煙感知器用保護治具であって、煙感知器２を覆うビニール袋６と、煙感知器２を覆ったこのビニール袋６を煙感知器２に留める弾性を有する輪ゴム７と、この輪ゴム７に先端部が接続された紐８とを備え、煙感知器２を覆ったビニール袋６は、床面１０上の作業者が煙感知器２から垂れた紐８の基端部を引き下ろすことで煙感知器２から取り外される。【選択図】図３
2009251657.tif 000002
【特許請求の範囲】
【請求項１】
天井に取り付けられた煙感知器を粉塵から保護するために用いられる煙感知器用保護治具であって、
前記煙感知器を覆う袋と、
煙感知器を覆ったこの袋を煙感知器に留める弾性を有する留め部材と、
この留め部材に先端部が接続された繋ぎ部材と
を備え、
前記煙感知器を覆った前記袋は、床面上の作業者が前記煙感知器から垂れた前記繋ぎ部材の基端部を引き下ろすことで煙感知器から取り外されることを特徴とする煙感知器用保護治具。
【請求項２】
前記繋ぎ部材の基端部には、前記煙感知器に前記袋が覆われていることを知らせる報知部材が取り付けられていることを特徴とする請求項１に記載の煙感知器用保護治具。
【請求項３】
前記袋は樹脂製であり、前記留め部材は輪ゴムであり、前記繋ぎ部材は紐であることを特徴とする請求項１または２に記載の煙感知器用保護治具。
【発明の詳細な説明】
【技術分野】
【０００１】
この発明は、煙感知器を粉塵から保護するために用いられる煙感知器用保護治具に関するものである。
【背景技術】
【０００２】
従来、周囲の煙濃度を監視することによって、火災の発生を検知するようにした煙感知器が、建物等の自動火災報知システムに使用され、建物の天井の要所に取り付けられている（例えば、特許文献１参照）。
ところで、建物内での吹き付け塗装作業、はつり作業等で発生する粉塵により、天井に取り付けられた煙感知器が誤動作することがある。
従って、このような誤動作を防止するために、建物内での吹き付け塗装作業等の期間は、例えば、ビニール袋で煙感知器の煙感知部を覆い、ビニール袋の開口部の外周からガムテープで留めることで、煙感知器に粉塵が侵入するのを防いでいる。
【０００３】
【特許文献１】特開平９−１５３１８７号公報
【発明の開示】
【発明が解決しようとする課題】
【０００４】
しかしながら、この方法では、煙感知器にビニール袋を覆う作業に手間がかかり、また煙感知器塗装作業等が終了した後、ガムテープを剥がしビニール袋を煙感知器から取り外すが、取り外しにも手間がかかるとともに、その際に煙感知器が破損し易いという問題点があった。
【０００５】
この発明は、上記のような問題点を解決することを課題とするものであって、煙感知器を粉塵から保護する袋を簡単に取り付け、取り外しができ、また取り外しの際に煙感知器が破損しにくい煙感知器用保護治具を得ることを目的とする。
【課題を解決するための手段】
【０００６】
この発明に係る煙感知器用保護治具は、天井に取り付けられた煙感知器を粉塵から保護するために用いられる煙感知器用保護治具であって、前記煙感知器を覆う袋と、煙感知器を覆ったこの袋を煙感知器に留める留め部材と、この留め部材に先端部が接続された繋ぎ部材とを備え、前記煙感知器を覆った前記袋は、床面上の作業者が前記煙感知器から垂れた前記繋ぎ部材の基端部を引き下ろすことで煙感知器から取り外される。
【発明の効果】
【０００７】
この発明による煙感知器用保護治具によれば、煙感知器に袋を取り付け、取り外しが簡単で、また袋の取り外しの際に煙感知器が破損しにくいという等の効果がある。
【発明を実施するための最良の形態】
【０００８】
以下、この発明の実施の形態について図に基づいて説明するが、各図において同一、または相当部材、部位については、同一符号を付して説明する。
図１は天井１に取り付けられた煙感知器２を示す側面図、図２はこの発明の一実施の形態の煙感知器用保護治具を示す斜視図、図３は図２の煙感知器用保護治具の使用態様を示す側面図である。
【０００９】
煙感知器２は、ベース３と、下側が縮径したテーパ部を有する円筒体４と、この円筒体４の先端部に取り付けられ、流入する煙濃度を検知し、煙濃度が所定の値以上になれば火災発生信号を出力する煙感知部５とを有している。
煙感知器２は、天井１に取り付ける際には、まずベース３を所望の位置に取り付けて送り配線し、その後に円筒体４及び煙感知部５をベース３に取り付ける。
【００１０】
この煙感知器を建物内での吹き付け塗装作業等の期間、粉塵から保護するために、図２に示す煙感知器用保護治具が用いられる。
この煙感知器用保護治具は、天井１に取り付けられる煙感知器２を覆う透明なビニール袋６と、煙感知器２の煙感知部５を覆ったビニール袋６を煙感知器２に留める留め部材である輪ゴム７と、この輪ゴム７に先端部が接続された繋ぎ部材である紐８と、この紐８の基端部に取り付けられ煙感知部５がビニール袋６で覆われていることを知らせる報知部材である表示札９とを備えている。
紐８の長さは、煙感知部５を覆ったビニール袋６から垂れた紐８の先端に、床面１０から作業者の手が届く長さに調整されている。
表示札９には朱色で作業中と明記されている。
【００１１】
次に、上記煙感知器用保護治具の取り扱い手順について説明する。
まず、建物内での吹き付け塗装作業等が開始する前に、煙感知器２の煙感知部５をビニール袋６で覆い、その後ビニール袋６の開口部の外周を輪ゴム７により締め付けることで、煙感知部５を外気と遮断する。
なお、通常、煙感知器２が取り付けられる天井１は床面１０から手の届かない高さにあり、上記作業は、脚立を立てて、この脚立上で行われる。
【００１２】
吹き付け塗装作業等が終了し、煙感知器２に粉塵が侵入する可能性が無くなった後、ビニール袋６を煙感知器２から取り外す。
この取り外し作業は、煙感知器２から垂れた紐８の基端部を引き下ろすことで、輪ゴム７が煙感知器２から離脱し、それに伴いビニール袋６は、締め付けていた輪ゴム７から開放され、煙感知器２から離脱し、床面１０面に落下する。
この取り外し作業の際には、ビニール袋６から垂れた紐８の先端は、床面１０上の作業者の手が届く所にあり、わざわざ脚立を用いる必要性がない。
【００１３】
なお、煙感知器２は、天井１に取り付けられており、注意しないと視野に入らないことが多く、そのため吹き付け塗装作業等が終了した後、ビニール袋６を煙感知器２から取り外す作業を忘れる虞がある。もしも、ビニール袋６が煙感知器２から取り残されたまま放置された場合、煙感知器２は、火災の発生を検知する本来の機能を果たせない。
これに対して、この実施の形態の煙感知器用保護治具では、作業者の視野の範囲に朱色で作業中と明記された表示札９がぶら下がっており、ビニール袋６を煙感知器２から取り外す作業を忘れることを防ぐことができる。
【００１４】
以上説明したように、この実施の形態の煙感知器用保護治具によれば、煙感知器２を覆うビニール袋６と、煙感知器の煙感知部５を覆ったこのビニール袋６を煙感知器２に留める輪ゴム７と、この輪ゴム７に先端部が接続された紐８とを備えたので、煙感知部５を簡単にビニール袋６で覆うことができ、また簡単に取り外すこともできる。
また、輪ゴム７は、弾性材であり、ビニール袋６の取り外しの際、煙感知器２に過度の荷重が加わることはなく、煙感知器２が破損しにくい。
また、煙感知器２の円筒体４は、下側に傾斜しており、輪ゴム７は煙感知器２から円滑に外れる。
また、床面１０上の作業者が煙感知器２から垂れた紐８の基端部を引き下ろすことで煙感知器２からビニール袋６を取り外すことができ、わざわざ脚立を用意する必要性はない。
【００１５】
また、紐８には作業者の視野の範囲に朱色で作業中と明記された表示札９がぶら下がっており、ビニール袋６の煙感知器２からの取り忘れを防止することができる。
【００１６】
なお、上記実施の形態では、袋としてビニール袋６を用いたが、勿論このものに限定されるものではなく、例えばナイロン袋であってもよい。
また、留め部として輪ゴム７を用いたが、袋の開口部を外側から締め付けることができる、他の弾性部材であってもよい。
また、繋ぎ部材として紐８を用いたが、たこ糸、帯等でもよい。
【図面の簡単な説明】
【００１７】
【図１】天井に取り付けられた煙感知器を示す側面図である。
【図２】この発明の一実施の形態の煙感知器用保護治具を示す斜視図である。
【図３】図２の煙感知器用保護治具の使用態様を示す側面図である。
【符号の説明】
【００１８】
１  天井、２  煙感知器、５  煙感知部、６  ビニール袋（袋）、７  輪ゴム（留め部材）、８  ひも（繋ぎ部材）、９  表示札（報知部材）１０  床面。
【図１】
2009251657.tif 000003
【図２】
2009251657.tif 000004
【図３】
2009251657.tif 000005